(57)【要約】【課題】トランジション効果を効率的に生成するとともに、映像を繰り返し表示する場合にトランジション効果を変化させる。【解決手段】トランジションによる映像切替前の映像データ，映像切替後の映像データを記憶するための記憶手段１，２と、トランジションの種類・トランジション区間を指定するトランジション指定情報に基づき、トランジション区間内の各フレームにおいて、切替前映像データ，切替後映像データのそれぞれどの領域のデータを表示すべきかを指示する表示フレームプランを作成する手段７と、表示フレームプランに基づき、トランジション区間内の各フレームにおいて、当該フレームに表示すべき領域のデータを記憶手段１，２から読み出して表示手段２２を駆動する表示駆動手段８とを備える。【選択図】図２
2007243593.tif 000002
【特許請求の範囲】
【請求項１】
トランジションによる映像切替を行なう前の映像データである切替前映像データを記憶するための切替前映像記憶手段と、
トランジションによる映像切替後の映像データである切替後映像データとを記憶するための切替後映像記憶手段と、
トランジションの種類と、トランジション処理を施す区間であるトランジション区間とを指定するトランジション指定情報が供給されたことに基づき、前記トランジション区間内の各フレームにおいて、前記切替前映像データ，前記切替後映像データのそれぞれどの領域のデータを表示すべきであるかを指示する表示フレームプランを作成する表示フレームプラン作成手段と、
前記表示フレームプランに基づき、前記トランジション区間内の各フレームにおいて、当該フレームに表示すべき領域のデータを前記切替前映像記憶手段及び／または前記切替後映像記憶手段から読み出して表示手段を駆動する表示駆動手段と
を備えたことを特徴とするトランジション効果生成装置。
【請求項２】
請求項１に記載のトランジション効果生成装置において、
前記表示フレームプラン作成手段は、前記トランジション指定情報が示すトランジションの種類が、切替前の映像が次第に薄くなるとともに切替後の映像が次第に濃くなるものである場合、前記切替前映像データと前記切替後映像データとを互いに補間フレームの映像データとして用いることによって映像データをハイフレームレート化するとともに、前記切替前映像データのみを表示するフレーム列を、切替後映像データのみを表示するフレームで部分的に入れ替え、前記トランジション区間の進行につれて前記入れ替えの頻度を増大させるような表示フレームプランを作成する
ことを特徴とするトランジション効果生成装置。
【請求項３】
請求項１に記載のトランジション効果生成装置において、
前記切替前映像記憶手段及び前記切替後映像記憶手段から読み出した切替前映像データ及び切替後映像データを、切替前映像データと切替後映像データとを識別する識別子と、前記トランジション区間を識別する情報と、前記トランジション指定情報によって指定されるトランジションの種類及び／またはトランジション区間を変更させる情報である拡張情報とを付与した記録形式の映像データに変換する変換手段と、
前記記録形式の映像データを記憶するための記録手段と、
前記記録手段から読み出した前記記録形式の映像データから前記切替前映像データ，前記切替後映像データ，前記表示フレームプランをそれぞれ抽出し、抽出した切替前映像データ，前記切替後映像データをそれぞれ前記切替前映像記憶手段，前記切替後映像記憶手段に記憶させ、抽出した前記拡張情報に基づく新たなトランジション指定情報を前記表示フレームプラン作成手段に供給する記録形式展開手段と
をさらに備えたことを特徴とするトランジション効果生成装置。
【請求項４】
請求項３に記載のトランジション効果生成装置において、
前記拡張情報は、トランジションの種類及び／またはトランジション区間を複数通り記述して、変更後のトランジションの種類及び／またはトランジション区間を前記複数通りの中からランダムに選択させる情報であることを特徴とするトランジション効果生成装置。
【請求項５】
トランジションによる映像切替を行なう前の映像データである切替前映像データと、トランジションによる映像切替後の映像データである切替後映像データとを、それぞれに対応した記憶手段に記憶する第１のステップと、
トランジションの種類と、トランジション処理を施す区間であるトランジション区間とを指定するトランジション指定情報が供給されたことに基づき、前記トランジション区間内の各フレームにおいて、前記切替前映像データ，前記切替後映像データのそれぞれどの領域のデータを表示すべきであるかを指示する表示フレームプランを作成する第２のステップと、
前記表示フレームプランに基づき、前記トランジション区間内の各フレームにおいて、当該フレームに表示すべき領域の前記切替前映像データ及び／または前記切替後映像データを前記記憶手段から読み出して表示手段を駆動する第３のステップと
を有することを特徴とするトランジション効果生成方法。
【発明の詳細な説明】
【技術分野】
【０００１】
本発明は、トランジション効果を生成するための装置及び方法に関し、特に、映像の表示時にトランジション効果を加えるようにしたものに関する。
に関する。
【背景技術】
【０００２】
映像表現の方法として、一つの映像から別の映像に切り替えるときに、瞬時に画面全体を切り替えるのではなく、一方の映像が薄くなって他方の映像が濃くなっていくことで切り替わるなど、段階的に切り替えを行うトランジション効果がよく用いられている。
【０００３】
従来、ビデオ映像などのトランジション効果は、ＰＣ（パーソナルコンピュータ）を含む編集機において複数の映像の結合時に行なわれており、その結果として得られた編集後の映像データが、テレビジョン受信機やＰＣ等の表示装置に放送波やネットワークや記録媒体等を介して届けられている。そして、表示装置では、トランジション効果の有無と関係なく、普通の映像を表示するのと同様に表示処理が行なわれている。
【０００４】
また、ＰＣやゲーム機におけるコンピュータグラフィックス（ＣＧ）でも、作業ウィンドウやキャラクター等の表示開始時や画面消去時にトランジション効果が利用されている。この場合、表示装置ではなくＰＣ本体やゲーム機本体においてトランジション効果をかけた映像が生成され、表示装置では受け取った映像をトランジション効果の有無と関係なく表示している。
【０００５】
図１は、こうした編集機やＰＣ本体やゲーム機本体内に設けられる従来のトランジション効果生成装置の構成例を示すブロック図である。切替前映像記憶部１００に一時的に記憶された映像ストリームと、切替後映像記憶部１０１に一時的に記憶された映像ストリームとが、それぞれ読み出されて編集処理部１０２に送られる。そして、編集処理部１０２において、ユーザーの操作等に基づいて供給されるトランジション指定情報（トランジションの種類と、トランジションを施す区間とを指定する情報）に従ってこの２つの映像に対してトランジション効果が加えられる。そして、トランジション効果を加えて編集された結果の映像ストリームが、編集後映像記憶部１０３に一時的に記憶された後、編集後映像記憶部１０３から読み出されて、表示部（例えばＬＣＤパネル）１０５を駆動する表示駆動部１０４に供給される。
【０００６】
しかしながら、この従来のトランジション効果生成装置では、トランジション効果を加える前の２つの映像ストリームを記憶するための２つの映像バッファ（切替前映像記憶部１００及び切替後映像記憶部１０１）と、トランジション効果を加えて編集された結果の映像ストリームを記憶するための映像バッファ（編集後映像記憶部１０３）との、合計３つの映像バッファが必要となる。
【０００７】
さらに、例えば一方の映像が薄くなって他方の映像が濃くなるディゾルブと呼ばれるトランジションでは、トランジションの段階に合わせた値α（０＜α＜１）を用いて、一方の映像の画素データをα倍、他方の映像の画素データを（１−α）倍した二つの映像の和を編集結果とするため、編集処理部１０２において、各画素について２回の積と１回の和の演算を必要とする。この演算は、画素数が大きくなって画質が向上すればするほど処理量が大きくなるため、編集処理部１０２にとっては多大な負担となる。
【０００８】
なお、従来、こうした演算処理の負担を軽減するために、画像処理部（編集処理部）が、選択された第１の動画と第２の動画（トランジション効果を加える前の２つの映像ストリーム）に対し、第１の動画の最終フレームと第２の動画の先頭フレームとを元に、段階的に動画が遷移していくトランジション動画を生成し、第１の動画とトランジション動画と第２の動画とを結合してトランジション効果を加えた動画を生成するという方法も提案されていた（特許文献１）。しかし、この方法でも、程度の差はあっても、ディゾルブ等のトランジション効果を加えるために積や和等の演算処理を必要とすることには変りはない。
【０００９】
また、トランジション効果を加えて編集された結果の映像データは、トランジション効果のかかっている部分では元来２つの映像ストリームから構成されていたが、単なる１つの映像ストリームと同じとなってしまう。そのため、トランジション効果を加えた映像を例えば広告用に繰り返し表示する場合には、毎回全く同じ映像ストリームが表示されることになる。これにより、視聴者は２回も見れば新鮮味が失われてすぐに飽きてしまい、２つの映像ストリームによるトランジション効果を毎回変えるなどして新鮮味を提供することができていない。
【００１０】
【特許文献１】特開２００５−１１７３７５号公報（段落番号００４０、図２）
【発明の開示】
【発明が解決しようとする課題】
【００１１】
このように、従来のトランジション効果生成装置では、３つの映像バッファと、積や和等の演算処理を行う処理部とが必要であるため、コストの増大や、トランジション効果生成装置を搭載する基板や筐体の大型化や、演算を行なうための消費電力の増大などを免れない。それにも関わらず、そのトランジション効果には変化がなく、繰り返し表示する場合に新鮮味を提供することができない。
【００１２】
本発明は、上述の点に鑑み、トランジション効果を効率的に生成できるとともに、映像を繰り返し表示する場合にトランジション効果を変化させることができるようにすることを課題とする。
【課題を解決するための手段】
【００１３】
上記課題を解決するために、本発明に係るトランジション効果生成装置は、トランジションによる映像切替を行なう前の映像データである切替前映像データを記憶するための切替前映像記憶手段と、トランジションによる映像切替後の映像データである切替後映像データとを記憶するための切替後映像記憶手段と、トランジションの種類と、トランジション処理を施す区間であるトランジション区間とを指定するトランジション指定情報が供給されたことに基づき、このトランジション区間内の各フレームにおいて、この切替前映像データ，この切替後映像データのそれぞれどの領域のデータを表示すべきであるかを指示する表示フレームプランを作成する表示フレームプラン作成手段と、この表示フレームプランに基づき、このトランジション区間内の各フレームにおいて、当該フレームに表示すべき領域のデータをこの切替前映像記憶手段及び／またはこの切替後映像記憶手段から読み出して表示手段を駆動する表示駆動手段とを備えたことを特徴とする。
【００１４】
このトランジション効果生成装置では、トランジションの種類と、トランジション処理を施す区間であるトランジション区間とを指定するトランジション指定情報が供給されたことに基づき、トランジション区間内の各フレームにおいて、切替前映像データ，切替後映像データのそれぞれどの領域のデータを表示すべきであるかを指示する表示フレームプランが作成される。
【００１５】
そして、表示手段を駆動する表示駆動手段が、この表示フレームプランに基づき、トランジション区間内の各フレームにおいて、当該フレームに表示すべき領域のデータを切替前映像記憶手段や切替後映像記憶手段から読み出すことにより、トランジション効果を加えた映像を表示手段に表示させる。
【００１６】
このように、切替前映像データや切替後映像データに対して積や和等の演算処理を行うことによってトランジション効果を加えた映像データを表示するのではなく、切替前映像データ，切替後映像データのうちトランジションの種類及びトランジション区間に応じた領域のデータを記憶手段から読み出して表示するので、トランジション効果を加えて編集された結果の映像データを記憶するための記憶手段（映像バッファ）や、積や和等の演算処理を行う処理部が不要であり、トランジション効果を効率的に生成することができる。
【００１７】
また、予めトランジション効果を加えた映像を表示するのではなく、映像の表示時に初めてトランジション効果を加えるので、同じ切替前映像データ，切替後映像データにトランジション効果を加えて繰り返し表示する場合にも、今回の表示時と次回の表示時とでトランジション指定情報を変更すれば、トランジション効果を変化させることができる。
【００１８】
次に、本発明に係るトランジション効果生成方法は、トランジションによる映像切替を行なう前の映像データである切替前映像データと、トランジションによる映像切替後の映像データである切替後映像データとを、それぞれに対応した記憶手段に記憶する第１のステップと、トランジションの種類と、トランジション処理を施す区間であるトランジション区間とを指定するトランジション指定情報が供給されたことに基づき、このトランジション区間内の各フレームにおいて、この切替前映像データ，この切替後映像データのそれぞれどの領域のデータを表示すべきであるかを指示する表示フレームプランを作成する第２のステップと、この表示フレームプランに基づき、このトランジション区間内の各フレームにおいて、当該フレームに表示すべき領域のこの切替前映像データ及び／またはこの切替後映像データをこの記憶手段から読み出して表示手段を駆動する第３のステップとを有することを特徴とする。
【００１９】
このトランジション効果生成方法は、前述の本発明に係るトランジション効果生成装置による一連の処理手順に該当するものであり、トランジション効果を効率的に生成できるとともに、同じ切替前映像データ，切替後映像データにトランジション効果を加えて繰り返し表示する場合に、トランジション効果を変化させることができる。
【発明の効果】
【００２０】
本発明によれば、トランジション効果を加えて編集された結果の映像データを記憶するための記憶手段や、積や和等の演算処理を行う処理部を必要とすることなく、トランジション効果を効率的に生成することができるという効果や、同じ切替前映像データ，切替後映像データにトランジション効果を加えて繰り返し表示する場合に、トランジション効果を変化させることができるという効果が得られる。
【発明を実施するための最良の形態】
【００２１】
以下、本発明の実施の形態を図面を用いて説明する。図２は、本発明を適用したトランジション効果生成装置の構成例を示すブロック図である。このトランジション効果生成装置は、例えばＰＣやテレビジョン受信機のような表示装置に搭載されるものであり、切替前映像記憶部１と、切替後映像記憶部２と、表示駆動部３と、記録形式変換部４と、記録部５と、記録形式展開部６とで構成されている。
【００２２】
放送波やネットワークや記録媒体等を介して表示装置に入力する２系統の映像ストリーム（フレーム毎の映像データの並び）のうち、一方の映像ストリームが、トランジションによる映像切替を行なう前の映像ストリームである切替前映像ストリームとして切替前映像記憶部１に供給され、残りの一方の映像ストリームが、トランジションによる映像切替後の映像ストリームである切替後映像ストリームとして切替後映像記憶部２に供給される。切替前映像記憶部１，切替後映像記憶部２は、それぞれＶＲＡＭから成っており、供給される切替前映像ストリーム，切替後映像ストリームを記憶する。
【００２３】
表示駆動部３には、表示フレームプラン作成部７と、表示部（例えばＬＣＤパネル）２２を駆動するための駆動部８と、タイマ９とが設けられている。
【００２４】
表示フレームプラン作成部７は、マイクロプロセッサから成っており、供給されたトランジション指定情報に基づいて、表示フレームプランを作成する。トランジション指定情報とは、トランジションの種類（ワイプ，ディゾルブ等）と、トランジション処理を施す区間であるトランジション区間（何フレーム目から何フレーム目までという区間）とを指定する情報であり、操作部（例えばＧＵＩ画面）２１でのユーザーの操作に基づいて作成されて表示フレームプラン作成部７に供給される。
【００２５】
表示フレームプランとは、トランジション区間内の各フレームにおいて、切替前映像データ，切替後映像データのうちのそれぞれどの領域のデータを、画面のどの領域に表示すべきであるかを指示する情報であり、切替前映像データと切替後映像データとを識別する映像識別子と、フレーム番号の情報と、フレーム内の領域を示す情報とで構成されている。この表示フレームプランにより、トランジション区間内の各フレームにおいて、切替前映像記憶部１，切替後映像記憶部２からどのアドレス位置の切替前映像データ，切替後映像データを読み出して表示部２２の画面上のどの位置にそれらのデータを表示させるべきであるかが一義的に決定される。
【００２６】
図３は、この表示フレームプランによって指示される切替前映像データ，切替後映像データの領域を例示する図である。トランジション指定情報によって示されるトランジションの種類が、例えばディゾルブのように、切替前の映像が次第に薄くなるとともに切替後の映像が次第に濃くなるものである場合、従来の方法であれば、同じフレームに切替前映像データと切替後映像データとが混合した映像データを生成し、トランジション区間の進行につれて切替後映像データの混合割合を増大させていた。これに対し、表示フレームプランでは、図３Ｄに示すように、切替前映像データ（図３Ａ）のみを画面全体に表示するフレーム列を、切替後映像データ（図３Ｂ）のみを画面全体に表示するフレームで部分的に入れ替え、トランジション区間の進行につれてこの入れ替えの頻度を増大させ、最終的には、切替後映像データ（図３Ｂ）のみを画面全体に表示するフレームに全て入れ替える。
【００２７】
なお、このようにフレームの入れ替えを行う場合には、切替前映像データと切替後映像データとを互いに補間フレームの映像データとして用いることによって映像データをハイフレームレート化するようにしてもよい。
【００２８】
図４は、一般的なハイフレーム表示の例を示す図である。元の映像データが図４Ａのように６０ｆｐｓ（フレーム／秒）の映像データである場合、その各フレームの間に補間フレームを挟みこむことにより、図４Ｂのように１２０ｆｐｓにハイフレームレート化したり、さらに図４Ｃ，図４Ｄのように２４０ｆｐｓ，４８０ｆｐｓにハイフレームレート化することができる。
【００２９】
ハイフレームレート化用の通常のフレームレート変換装置では、補間フレームを生成するために、動きベクトルを利用するなど計算量の高い演算処理を、通常のフレーム間隔よりも短い時間で行う必要がある。しかし、切替前映像データと切替後映像データとを互いに補間フレームの映像データとして用いれば、こうした演算処理を行うことなく、映像データをハイフレームレート化することができる。
【００３０】
そして、このようなハイフレームレート化した映像データで図３Ｄのような入れ替えを行えば、人間の視覚能力ではフレーム単位で映像を見分けることは非常に困難であるため、切替前の映像や切替後の映像が個別に見分けられることなく、それらを混合した映像が表示されているように見せることができる。
【００３１】
図３に戻り、トランジション指定情報によって示されるトランジションの種類が、例えばワイプ，クロック，ブロックのように、切替前映像に切替後映像の部分的に表示され始め、次第にその部分が増えて切替後映像に切り替わるものである場合には、図３Ｅに示すように、同じフレームに、一部の領域を除いた切替前映像データ（図３Ａ）とこの一部の領域の切替後映像データ（図３Ｂ）とをそれぞれ本来の領域（元の切替前映像データ，切替後映像データにおけるのと同じ領域）に表示し、トランジション区間の進行につれてこの一部の領域を拡大していき、最終的には、切替後映像データのみを読み出して表示する。
【００３２】
トランジション指定情報によって示されるトランジションの種類が、図３Ｃに示すように画面の一部の領域（例えば画面に表示されているウィンドウの領域）のみを切替後映像データに切り替えるものである場合にも、図３Ｄ，３Ｅに示したのと同じ方法で、部分的なディゾルブ（図３Ｆ）やワイプ（図３Ｇ）等を行う。図３Ｃには画面の１つの部分的領域を切替後映像データに切り替える例を示したが、画面の複数の部分的領域（例えば画面に表示されている複数のウィンドウの領域）を切替後映像データに切り替える場合も、各領域についてこうした部分的なディゾルブやワイプ等を行う。
【００３３】
また、トランジション指定情報によって示されるトランジションの種類が、図５Ａに例示するストレッチのように切替後映像の拡大や縮小（図５Ａでは拡大）を伴うものである場合にも、映像データの圧縮処理や伸張処理を行うのではなく、図５Ｂに例示するように、切替後映像データのうちの櫛型の領域のデータを選択してそれらの領域のデータをつなぎ合せて表示し、トランジション区間の進行につれてその櫛の隙間を狭くまたは広く（図５Ｂでは狭く）する。
【００３４】
このように、表示フレームプランにより、様々な種類のトランジションに対応して、切替前映像データ，切替後映像データのどの領域のデータを、画面のどの領域に表示すべきであるかを指示することができる。
【００３５】
表示フレームプラン作成部７によって作成された表示フレームプランは、図２に示すように、駆動部８に供給される。
【００３６】
駆動部８は、供給される表示フレームプランと、タイマ９からの時刻情報とに基づき、トランジション区間内の各フレームにおいて、図３Ｃ〜Ｇや図５に例示したように当該フレームに表示すべき領域のデータを切替前映像記憶部１や切替後映像記憶部２から読み出して、表示部２２を駆動する。
【００３７】
図６は、この表示駆動部３の一連の処理をフローチャートとして示したものである。最初に、表示フレームプラン作成部７が、トランジション指定情報を取得して（ステップＳ１）、表示フレームプランを作成する（ステップＳ２）。
【００３８】
駆動部８は、その表示フレームプランのうち、次に表示するフレーム（最初は、１番目のフレーム）に関する情報を取得する（ステップＳ３）。そして、切替前映像データのうちその情報が示す領域のデータ（当該フレームで表示すべき領域のデータ）を切替前映像記憶部１から取得する（ステップＳ４）。また、切替後映像データのうちその情報が示す領域のデータを切替後映像記憶部２から取得する（ステップＳ５）。そして、表示部２２を駆動して、ステップＳ４及びＳ５で取得し映像データを、ステップＳ３で取得した情報が示す画面上の領域に表示させる（ステップＳ６）。
【００３９】
続いて駆動部８は、表示フレームプランの全てのフレームに関する情報を取得し終えたか否か（すなわちトランジション区間が終了したか否か）を判断する（ステップＳ７）。ノーであれば、タイマ９からの時刻情報に基づいて、フレームを表示する間隔を調整するための時間待ちを行い（ステップＳ８）、その後、次に表示するフレームについてステップＳ３以下の処理を繰り返す。ステップＳ７でイエスになると、処理を終了する。
【００４０】
このように、表示駆動部３では、切替前映像データや切替後映像データに対して積や和等の演算処理を行うことによってトランジション効果を加えた映像データを表示部２２に表示させるのではなく、切替前映像データ，切替後映像データのうちトランジションの種類及びトランジション区間に応じた領域のデータを切替前映像記憶部１，切替後映像記憶部２から読み出して表示部２２に表示させるので、トランジション効果を加えて編集された結果の映像データを記憶するための記憶手段（映像バッファ）や、積や和等の演算処理を行う処理部が不要であり、トランジション効果を効率的に生成することができる。
【００４１】
これにより、トランジション効果生成装置の製造コストの削減や、トランジション効果生成装置を搭載する基板や筐体の小型化や、トランジション効果生成装置の消費電力の低減が可能となる。
【００４２】
また、予めトランジション効果を加えた映像を表示部２２に表示させるのではなく、映像の表示時に初めてトランジション効果を加えるので、映像を繰り返し表示する場合にも、今回の表示時と次回の表示時とでトランジション指定情報を変更すれば、トランジション効果を変化させることができる。（トランジション効果の変化については、後述する記録形式変換部４及び記録形式展開部６の処理によっても実現される。）
【００４３】
図２に示すように、記録形式変換部４には、表示フレームプラン作成部１０と、変換部１１とが設けられている。表示フレームプラン作成部１０は、マイクロプロセッサから成っており、操作部２１から供給されるトランジション指定情報に基づき、表示駆動部３内の表示フレームプラン作成部７と全く同様にして表示フレームプランを作成して、その表示フレームプランを変換部１１に供給する。
【００４４】
また、操作部２１でのユーザーの操作に基づいて拡張情報が作成された場合には、その拡張情報が変換部１１に供給される。拡張情報とは、トランジション指定情報によって指定されているトランジションの種類やトランジション区間を別の特定のトランジションの種類やトランジション区間に変更させたり、さらには、トランジションの種類やトランジション区間を複数通り記述して、変更後のトランジションの種類やトランジション区間をその中からランダムに選択させる情報である。
【００４５】
変換部１１は、マイクロプロセッサから成っており、供給される表示フレームプランに基づき、トランジション区間の前の所定数フレーム（例えば数秒分のフレーム）の切替前映像ストリームと、トランジション区間の切替前映像ストリーム及び切替後映像ストリームと、トランジション区間の後の所定数フレームの切替後映像ストリームとを、切替前映像記憶部１及び切替後映像記憶部２から取得する。そして、取得した切替前映像ストリーム及び切替後映像ストリームを、切替前映像ストリームと切替後映像ストリームとを識別する識別子と、トランジション区間を識別する情報と、表示フレームプランと、拡張情報が供給された場合には拡張情報とを付与した記録形式の映像データに変換して記録部５に記録させる。記録部５は、不揮発性のメモリであってもよいし、ディスク状の記録媒体を用いた記録装置であってもよい。
【００４６】
図７は、変換部１１によって変換された記録形式の映像データを例示する図である（図示の簡略化のために、フレーム数は少なく描いている）。切替前映像ストリーム，切替後映像ストリームのうちの個々のフレームのデータ毎に、切替前映像ストリーム，切替後映像ストリームを各々識別するための識別子「Ａ」，「Ｂ」と、トランジション区間を識別するためのフレーム番号「１」，「２」，「３」，…（切替前映像ストリームでは後半の番号「３」〜「５」のフレームがトランジション区間内のフレームであり、切替後映像ストリームでは前半の番号「１」〜「３」のフレームがトランジション区間内のフレームである）とが付与されている。そして、これらの小単位のデータの先頭に、表示フレームプランＰと、拡張情報Ｋとが付与されている。
【００４７】
図８は、この記録形式変換部４の一連の処理をフローチャートとして示したものである。最初に、表示フレームプラン作成部７が、トランジション指定情報を取得して（ステップＳ１１）、表示フレームプランを作成する（ステップＳ１２）。
【００４８】
駆動部８は、その表示フレームプランを取得して、記録部５に記憶させる（ステップＳ１３）。また、操作部２１で拡張情報が作成された場合には、その拡張情報を取得して、記録部５に記録させる（ステップＳ１４）。そして、トランジション区間の前の所定数フレームのうちの最初のフレームの切替前映像データを切替前映像記憶部１から取得し（ステップＳ１５）、その切替前映像データに図７のような識別子及びフレーム番号を付与して記録部５に記録させる（ステップＳ１６）。続いて、トランジション区間の前の所定数フレームの切替前映像データを全て記憶し終えたか否かを判断する（ステップＳ１７）。ノーであれば、トランジション区間の前の次のフレームの切替前映像データについてステップＳ１５以下の処理を繰り返す。
【００４９】
ステップＳ１７でイエスになると、トランジション区間内の最初のフレームの切替前映像データを切替前映像記憶部１から取得し（ステップＳ１８）、その切替前映像データに図７のような識別子及びフレーム番号を付与して記録部５に記録させる（ステップＳ１９）。また、トランジション区間内の最初のフレームの切替後映像データを切替後映像記憶部２から取得し（ステップＳ２０）、その切替後映像データに図７のような識別子及びフレーム番号を付与して記録部５に記録させる（ステップＳ２１）。
【００５０】
続いて、トランジション区間内の全てのフレームの切替前映像データ及び切替後映像データを記憶し終えたか否かを判断する（ステップＳ２２）。ノーであれば、トランジション区間内の次のフレームの切替前映像データ及び切替後映像データについてステップＳ１８以下の処理を繰り返す。
【００５１】
ステップＳ２２でイエスになると、トランジション区間の後の所定数フレームのうちの最初のフレームの切替後映像データを切替後映像記憶部２から取得し（ステップＳ２３）、その切替後映像データに図７のような識別子及びフレーム番号を付与して記録部５に記録させる（ステップＳ２４）。続いて、トランジション区間の後の所定数フレームの切替後映像データを全て記憶し終えたか否かを判断する（ステップＳ２５）。ノーであれば、トランジション区間の後の次のフレームの切替後映像データについてステップＳ２３以下の処理を繰り返す。ステップＳ２５でイエスになると、処理を終了する。
【００５２】
図２に示すように、記録形式展開部６には、展開部１２と、拡張変化部１３とが設けられている。展開部１２は、マイクロプロセッサから成っており、図７に示した記録形式の映像データを記録部５から読み出して、その記録形式の映像データから、元の切替前映像ストリーム，切替後映像ストリーム，表示フレームプラン及び拡張情報（但し拡張情報は存在しない場合もある）を抽出する。そして、抽出した切替前映像ストリーム，切替後映像ストリームをそれぞれ切替前映像記憶部１，切替後映像記憶部２に供給して記憶させる。また、拡張情報が抽出された場合には、その拡張情報を拡張変化部１３に供給する。他方、拡張情報が抽出されなかった場合には、抽出した表示フレームプランを表示駆動部３内の駆動部８に供給する。
【００５３】
拡張変化部１３は、マイクロプロセッサから成っており、供給された拡張情報に基づいて新たなトランジション指定情報を作成する。すなわち、拡張情報が、トランジション指定情報によって指定されているトランジションの種類やトランジション区間を別の特定のトランジションの種類やトランジション区間に変更させるものである場合には、その特定のトランジションの種類やトランジション区間を指定するトランジション指定情報を作成する。また、拡張情報が、トランジションの種類やトランジション区間を複数通り記述して、変更後のトランジションの種類やトランジション区間をその中からランダムに選択させるものである場合には、その中からランダムに選択したトランジションの種類やトランジション区間を指定するトランジション指定情報を作成する。そして、作成したトランジション指定情報を、表示駆動部３内の表示フレームプラン作成部７に供給する。
【００５４】
このとき、表示フレームプラン作成部７は、この新たなトランジション指定情報に基づいて表示フレームプラン（最初に操作部２１から供給されたトランジション指定情報に基づいて作成した表示フレームプランとは異なる内容の表示フレームプラン）を作成する。
【００５５】
そして、駆動部８が、この表示フレームプランに基づいて切替前映像記憶部１，切替後映像記憶部２から切替前映像ストリーム，切替後映像ストリームを読み出して表示部２２を駆動することにより、最初にこの切替前映像ストリーム，切替後映像ストリームにトランジション効果を加えたとき（この切替前映像ストリーム，切替後映像ストリームが外部から表示装置に入力して切替前映像記憶部１，切替後映像記憶部２に記憶された際に切替前映像記憶部１，切替後映像記憶部２から読み出して表示部２２を駆動したとき）とは、トランジションの種類やトランジション区間の異なるトランジション効果が加えられる。
【００５６】
図９は、このように、同じ切替前映像ストリーム，切替後映像ストリームに加えられるトランジション効果が変化する様子を例示する図である。この例では、最初にトランジション効果を加えたとき（図９Ａ）に対し、図９Ｂのように、トランジション区間が短くなっている。
【００５７】
さらに、前述のように、拡張情報が、変更後のトランジションの種類やトランジション区間を複数通りの中からランダムに選択させるものである場合には、記録形式展開部６が記録部５からデータを読み出すたびに、自動的に、異なる内容のトランジション指定情報をフレームプラン作成部７に供給して、トランジション効果を変化させることができる。
【００５８】
これにより、例えば広告用に同じ切替前映像データ，切替後映像データにトランジション効果を加えて繰り返し表示する場合に、表示のたびに自動的にトランジション効果を変化させることができるので、視聴者が新鮮味を持って繰り返し視聴することが可能となる。
【００５９】
また、拡張情報が抽出されなかった場合（操作部２１で拡張情報を作成しなかった場合）でも、前述のように、記録部５から読み出した記録形式の映像データから抽出した表示フレームプラン（表示フレームプラン作成部７が最初に作成した表示フレームプラン）が表示駆動部３内の駆動部８に供給されることにより、最初にトランジション効果を加えたときと同じトランジション効果が加えられる。
【００６０】
なお、以上の例では、図７に例示したように、記録形式変換部４内の変換部１１は、トランジション区間の前の切替前映像ストリームと、トランジション区間の切替前映像ストリーム及び切替後映像ストリームと、トランジション区間の後の切替後映像ストリームとを、切替前映像記憶部１及び切替後映像記憶部２から取得して、記録形式の映像データに変換している。しかし、これに加えて、トランジション区間の前の切替後映像ストリームや、トランジション区間の後の切替前映像ストリームも、切替前映像記憶部１及び切替後映像記憶部２から取得して、記録形式の映像データに変換してもよい。それにより、図９に例示したようにトランジション区間を短くするだけでなく、トランジション区間を長くするようにトランジション効果を変化させることもできるようになる。
【００６１】
また、以上の例では、表示フレームプランを、「切替前映像データ，切替後映像データのうちのそれぞれどの領域のデータを、画面のどの領域に表示すべきであるかを指示する情報」としている。しかし、別の例として、切替前映像データ，切替後映像データの或る領域のデータをその本来の領域（元の切替前映像データ，切替後映像データにおけるのと同じ領域）に表示するような種類のトランジション効果（例えばワイプ等）のみを施す場合には、表示フレームプランを、「画面のどの領域に表示すべきであるか」を示さず、単に「切替前映像データ，切替後映像データのうちのそれぞれどの領域のデータを表示すべきであるかを指示する情報」としてもよい。
【００６２】
また、図２に示したトランジション効果生成装置は、表示駆動部３，記録形式変換部４及び記録形式展開部６を全て備えた形である必要はない。記録形式変換部４及び記録形式展開部６をなくせば、テレビジョン受信機等の表示を主目的にする機器として利用することが可能である。一方、表示駆動部３をなくせば、ＶＴＲ等の編集や記録を主目的にする編集・記録機器として利用することが可能である。この場合、記録形式展開部６から表示装置内の表示駆動部３や切替前映像記憶部１や切替後映像記憶部２にデータを送る必要があるが、それは、編集・記録機器と表示装置とをケーブルで１対１に接続したり有線ＬＡＮで接続してデータを送信したり、必要に応じて送信データの圧縮や伸張を行なうことによって可能である。
【図面の簡単な説明】
【００６３】
【図１】従来のトランジション効果生成装置の構成例を示すブロック図である。
【図２】本発明を適用したトランジション効果生成装置の構成例を示すブロック図である。
【図３】表示フレームプランによって指示される切替前映像データ，切替後映像データの領域を例示する図である。
【図４】一般的なハイフレームレート表示の例を示す図である。
【図５】ストレッチの場合に表示フレームプランによって指示される切替後映像データの選択領域を例示する図である。
【図６】図２の表示駆動部の処理を示すフローチャートである。
【図７】図２の変換部によって変換された記録形式の映像データを例示する図である。
【図８】図２の記録形式変換部の処理を示すフローチャートである。
【図９】同じ切替前映像ストリーム，切替後映像ストリームに加えられるトランジション効果が変化する様子を例示する図である。
【符号の説明】
【００６４】
１  切替前映像記憶部、  ２  切替後映像記憶部、  ３  表示駆動部、  ４  記録形式変換部、  ５  記録部、  ６  記録形式展開部、  ７  表示フレームプラン作成部、  ８  駆動部、  ９  タイマ、  １０  表示フレームプラン作成部、  １１  変換部、  １２  展開部、  １３  拡張変化部、  ２１  操作部、  ２２  表示部
【図１】
2007243593.tif 000003
【図２】
2007243593.tif 000004
【図３】
2007243593.tif 000005
【図４】
2007243593.tif 000006
【図５】
2007243593.tif 000007
【図６】
2007243593.tif 000008
【図７】
2007243593.tif 000009
【図８】
2007243593.tif 000010
【図９】
2007243593.tif 000011